(57)【要約】【課題】メンテナンスや交換等のために脱着可能な構成要素を取り外す場合に、該構成要素に隣り合うように配置されていた回転部が構成要素を取り外した後の空間に露出しても作業を容易に行うことができる電気機器（イオン発生機）を提供する。【解決手段】脱着可能な構成要素（イオン発生装置５０）と、構成要素に隣り合うように配置された回転部（送風ファン３１）と、構成要素の離脱に連動して回転部の回転を停止させる回転停止機構１０とを備え、回転停止機構１０は、回転部に接触して回転を阻止する位置と回転阻止位置から離間した位置との間を移動する回転阻止体１４と、回転阻止体１４を回転阻止位置へ付勢する付勢部（バネ１２）と、構成要素の装着に伴い付勢部の付勢力に抗して回転阻止体を回転阻止位置から離間する側に押圧し、構成要素の離脱に伴い回転阻止体に対する押圧を解除する押圧部（ネジ６９ｂ）とを有している。【選択図】図７
2012235805.tif 000002
【特許請求の範囲】
【請求項１】
脱着可能に装着された構成要素と、該構成要素に隣り合うように内部に配置された回転部とを備えた電気機器において、
前記構成要素の離脱に連動して前記回転部の回転を停止させる回転停止機構を備えていることを特徴とする電気機器。
【請求項２】
前記回転停止機構は、前記回転部の回転を阻止する位置と該回転を阻止する位置から離間した位置との間で移動自在な回転阻止体と、該回転阻止体を前記回転部の回転を阻止する位置へ付勢する付勢部と、前記構成要素の装着に伴い前記付勢部の付勢力に抗して前記回転阻止体を前記回転部の回転を阻止する位置から離間する側に押圧し、前記構成要素の離脱に伴い前記回転阻止体に対する押圧を解除する押圧部とを有していることを特徴とする請求項１に記載の電気機器。
【請求項３】
前記構成要素を挿入して装着可能な装着部を備えていることを特徴とする請求項２に記載の電気機器。
【請求項４】
前記構成要素はイオン発生装置であり、
前記回転部は、外部から空気を吸い込んで前記イオン発生装置から発生したイオンが存在する空間を通過させ、イオンが付加された空気を外部へ送風する送風ファンの羽根であることを特徴とする請求項１から３の何れか１項に記載の電気機器。
【請求項５】
前記回転部は、送風ファンの羽根であり、
前記構成要素は、外部から前記羽根を覆う蓋であることを特徴とする請求項１から３の何れか１項に記載の電気機器。
【請求項６】
前記回転部の回転を阻止する位置は、前記回転阻止体が前記羽根に当接可能な位置であることを特徴とする請求項４又は５に記載の電気機器。
【発明の詳細な説明】
【技術分野】
【０００１】
本発明は、メンテナンスや交換などのために脱着可能に取り付けられた構成要素を備えた電気機器に関する。
【背景技術】
【０００２】
電気機器の一例として、イオン発生装置を備え、イオン発生装置が発生したイオンを外部に排出して居住空間内の空気の殺菌や脱臭等の機能を発揮する空気調和機が実用化されている（特許文献１参照）。このような空気調和機では、イオン発生装置を脱着可能な構成要素とし、劣化したイオン発生装置を交換することによって常に所定のイオン量を確保し、イオンによる殺菌や脱臭等の性能を保証するようにしているものがある（特許文献２参照）。
【０００３】
イオン発生装置を交換可能に構成した空気調和機では、従来、サービス担当者がイオン発生装置の交換作業を行うものが一般的であったが、イオン発生装置を搭載した空気調和機の普及につれて、イオン発生装置の交換を一般ユーザーにさせている場合がある。
【先行技術文献】
【特許文献】
【０００４】
【特許文献１】特開２００７−２９４９７号公報
【特許文献２】特許第４５５１９５３号公報
【発明の概要】
【発明が解決しようとする課題】
【０００５】
一般ユーザーがイオン発生装置の交換作業を行う際に、イオン発生装置の取り外し（離脱）によって、イオン発生装置に隣り合うように内部に配置された物がイオン発生装置を取り外した後の空間に露出する場合がある。特に回転部（例えばプロペラファンやシロッコファン等の送風ファンの羽根）が露出する場合、回転状態の羽根に作業者の手が触れて作業に支障をきたす恐れがあり、好ましくない。
【０００６】
また、各種の電気機器に搭載された送風ファンのメンテナンスや清掃等のために、送風ファンを覆うファンカバー（蓋）を取り外す場合にも、回転状態の羽根に作業者の手が触れて作業に支障をきたす恐れがあり、好ましくない。
【０００７】
本発明は、上述したような事情に鑑みてなされたものであり、メンテナンスや交換等のために脱着可能な構成要素を取り外す場合に、該構成要素に隣り合うように配置されていた回転部が構成要素を取り外した後の空間に露出しても作業を容易に行うことができる電気機器を提供することを目的とする。
【課題を解決するための手段】
【０００８】
本発明に係る電気機器は、脱着可能に装着された構成要素と、該構成要素に隣り合うように内部に配置された回転部とを備えた電気機器において、前記構成要素の離脱に連動して前記回転部の回転を停止させる回転停止機構を備えていることを特徴とする。
【０００９】
本発明においては、脱着可能に装着された構成要素の離脱に連動して、該構成要素に隣り合うように内部に配置された回転部の回転が回転停止機構によって停止される。
【００１０】
本発明に係る電気機器は、前記回転停止機構は、前記回転部の回転を阻止する位置と該回転を阻止する位置から離間した位置との間で移動自在な回転阻止体と、該回転阻止体を前記回転部の回転を阻止する位置へ付勢する付勢部と、前記構成要素の装着に伴い前記付勢部の付勢力に抗して前記回転阻止体を前記回転部の回転を阻止する位置から離間する側に押圧し、前記構成要素の離脱に伴い前記回転阻止体に対する押圧を解除する押圧部とを有していることを特徴とする。
【００１１】
本発明においては、付勢部によって前記回転部の回転を阻止する位置へ付勢されていた回転阻止体が前記構成要素の装着に伴い、押圧部によって押圧されて前記付勢部の付勢力に抗して前記回転部の回転を阻止する位置から離間する側に移動し、前記回転部が回転可能となる。一方、前記構成要素の離脱に伴い、前記回転阻止体に対する押圧部の押圧が解除され、回転阻止体は付勢部によって付勢されて前記回転部の回転を阻止する位置へ移動し、前記回転部の回転が阻止される。
【００１２】
本発明に係る電気機器は、前記構成要素を挿入して装着可能な装着部を備えていることを特徴とする。
【００１３】
本発明においては、前記構成要素を装着部に挿入して装着することに伴い、前記回転阻止体が押圧部によって押圧されて前記回転部の回転を阻止する位置から離間する側に移動し、一方、前記装着部から前記構成要素を離脱させることに伴い、前記回転阻止体に対する押圧部の押圧が解除され、回転阻止体は付勢部によって付勢されて前記回転部の回転を阻止する位置へ移動する。
【００１４】
本発明に係る電気機器は、前記構成要素はイオン発生装置であり、前記回転部は、外部から空気を吸い込んで前記イオン発生装置から発生したイオンが存在する空間を通過させ、イオンが付加された空気を外部へ送風する送風ファンの羽根であることを特徴とする。
【００１５】
本発明においては、脱着可能に装着されたイオン発生装置の離脱に連動して、イオン発生装置に隣り合うように内部に配置され、外部から空気を吸い込んで前記イオン発生装置から発生したイオンが存在する空間を通過させ、イオンが付加された空気を外部へ送風する送風ファンの羽根の回転が停止される。
【００１６】
本発明に係る電気機器は、前記回転部は、送風ファンの羽根であり、前記構成要素は、外部から前記羽根を覆う蓋であることを特徴とする。
【００１７】
本発明においては、送風ファンの羽根を覆う脱着可能な蓋の離脱に連動して、蓋に隣り合うように内部に配置された送風ファンの羽根の回転が停止される。
【００１８】
本発明に係る電気機器は、前記回転部の回転を阻止する位置は、前記回転阻止体が前記羽根に当接可能な位置であることを特徴とする。
【００１９】
本発明においては、前記回転阻止体が送風ファンの羽根に当接可能な位置に移動し、送風ファンの羽根に当接することにより送風ファンの回転が阻止される。
【発明の効果】
【００２０】
本発明によれば、メンテナンスや交換等のために脱着可能な構成要素を取り外す場合に、該構成要素に隣り合うように配置された回転部の回転が構成要素の離脱に連動して停止するので、該構成要素を取り外した後の空間に回転部が露出しても作業を容易に行うことができる電気機器が提供される。
【００２１】
本発明によれば、脱着可能な構成要素がイオン発生装置であり、送風ファンの羽根をイオン発生装置に隣り合うように配置して省スペースと送風効率の向上とを実現しようとする場合に、イオン発生装置を取り外した後の空間に送風ファンの羽根が露出してもイオン発生装置のメンテナンスや交換等の作業を容易に行うことができる電気機器が提供される。
【００２２】
本発明によれば、脱着可能な構成要素が送風ファンの羽根を覆う蓋であり、送風ファンの羽根を蓋に隣り合うように配置して省スペースを実現しようとする場合に、蓋を取り外した後の空間に送風ファンの羽根が露出しても送風ファンのメンテナンスや、羽根及び蓋の清掃等の作業を容易に行うことができる電気機器が提供される。
【図面の簡単な説明】
【００２３】
【図１】本発明の実施の形態１に係る電気機器としてのイオン発生機の外観を示す背面側からの一部分解斜視図である。
【図２】図１に示すイオン発生機の内部構造を示す背面側からの斜視図である。
【図３】イオン発生ユニットの斜視図である。
【図４】イオン発生素子の斜視図である。
【図５】図１に示すイオン発生機の背面一部透視図である。
【図６】図１に示すイオン発生機の一部を拡大した側面断面図である。
【図７】図１に示すイオン発生機の一部を拡大した平面断面図である。
【図８】回転阻止体の側面図である。
【図９】回転阻止体の平面図である。
【図１０】本発明の実施の形態２に係る電気機器の断面図である。
【図１１】図１０に示す電気機器の構成要素を示す平面図及び側面図である。
【図１２】図１０に示す電気機器の他の構成要素を示す平面図及び側面図である。
【図１３】図１０に示す電気機器の動作を示す断面図である。
【発明を実施するための形態】
【００２４】
以下、本発明に係る電気機器の実施の形態について図面に基づいて説明する。
（実施の形態１）
図１は本発明の実施の形態１に係る電気機器としてのイオン発生機の外観を示す背面側からの一部分解斜視図、図２は図１に示すイオン発生機の内部構造を示す背面側からの斜視図、図３はイオン発生ユニットの斜視図、図４はイオン発生素子の斜視図、図５は図１に示すイオン発生機の背面一部透視図、図６は図１に示すイオン発生機の一部を拡大した側面断面図、図７は図１に示すイオン発生機の一部を拡大した平面断面図、図８は回転阻止体の側面図、図９は回転阻止体の平面図である。
【００２５】
本発明のイオン発生機１は、ケーシング２１と、ケーシング２１を覆う外装カバー２０とを有する。ケーシング２１は、本体ケーシング２２及びケーシングカバー２３から構成されている。本体ケーシング２２は、横向きの軸を有する円筒形状の下側部分２２ａと、上部が開口した略直方体箱状の上側部分２２ｂとが上下方向に連結された構造を有し、背面側が開口している。ケーシングカバー２３は、後述のシロッコファン３１の空気取込部３６及びイオン発生ユニット５０の挿入部２９を除いて本体ケーシング２２の背面側の開口部を塞いでいる。
【００２６】
外装カバー２０は略直方体状の外形をなす。外装カバー２０の背面側には、シロッコファン３１の空気取込部３６及びイオン発生ユニット５０の挿入部２９を含む範囲に対応してフィルタ部材２４が取り外し自在に設けられ、フィルタ部材２４は空気取込部３６の位置に気通過孔２４ａを有する。
【００２７】
本体ケーシング２２の下側部分２２ａに、中心軸３１ａがイオン発生機１の背面側と前面側とを結ぶ方向に沿うように配置されたシロッコファン３１が収容されている。シロッコファン３１は、全体として略円筒形の外観を有し、その略円筒形の周面に複数枚のファンブレード３２が配置されている。複数枚のファンブレード３２は、中心軸３１ａを中心に互いに周方向に等間隔に設けられている。シロッコファン３１の内周側（周方向に並ぶ複数枚のファンブレード３２の内側）には、背面側から空気を取り込む空気取込部３６が形成されている。シロッコファン３１の外周側（周方向に並ぶ複数枚のファンブレード３２の外側）には、本体ケーシング２２によってスクロール部２２ｃが形成されている。
【００２８】
本体ケーシング２２の前面側に、モータ支持部４７を介してモータ４６が取り付けてある。シロッコファン３１は前面側に基板３３を有し、基板３３の中央にモータ４６の出力軸が固定されるボス部３４が設けてある。モータ４６の出力軸は、シロッコファン３１の中心軸３１ａに一致している。モータ４６はシロッコファン３１を回転駆動させ、シロッコファン３１は、中心軸３１ａを中心に回転する。シロッコファン３１は、回転に伴って、室内から空気取込部３６に空気を取り込み、取り込んだ空気をスクロール部２２ｃへ送出する。
【００２９】
ケーシング２１のスクロール部２２ｃより上側部分に、イオン発生ユニット５０を挿入するユニット挿入部２９が形成されている。ユニット挿入部２９は、ケーシング２１の背面側に開口している。イオン発生ユニット５０は背面側からシロッコファン３１の中心軸３１ａと平行な方向にユニット挿入部２９に挿入され、脱着可能に装着される。ユニット挿入部２９は下部に雌ねじ部２９ａを備えている。
【００３０】
ケーシング２１の上端には、鉛直上方に開口した矩形の開口面を有する吹き出し口２６が形成されている。吹き出し口２６を構成するケーシング２１の側壁は、互いに対向して配置されたガイド面２５，２７を有する。シロッコファン３１は、吹き出し口２６の略鉛直下側に配置されている。
【００３１】
シロッコファン３１により送出された空気は、吹き出し口２６に向けてイオン発生ユニット５０を通過し、吹き出し口２６を通じて室内に放出される。即ち、ケーシング２１の内部に、シロッコファン３１のスクロール部２２ｃから吹き出し口２６に至る流路Ｒが形成されている。尚、送風ファンは、シロッコファン３１に替えて、クロスフロー（貫流）ファンで構成してもよい。
【００３２】
イオン発生ユニット５０は、イオン発生機１の前面側に配置される前面側イオン発生部５１と、イオン発生機１の背面側に配置される背面側イオン発生部５６と、両イオン発生部５１，５６を連結して一体化する連結用カバー部６１とを有する。前面側イオン発生部５１と背面側イオン発生部５６とは、互いに距離を隔てて対向配置され、前面側イオン発生部５１と背面側イオン発生部５６との間に形成された空間Ｋが流路Ｒの一部を占めている。吹き出し口２６を上面から覗き込んだ場合に、シロッコファン３１と、前面側イオン発生部５１および背面側イオン発生部５６とが部分的に重なり合っている。
【００３３】
前面側イオン発生部５１は、イオン発生素子５２及びイオン発生素子５２を収容するカバー部５３から構成されている。カバー部５３は、空間Ｋ（流路Ｒ）に面する対向面５３ａを有し、対向面５３ａには、２つのイオン放出孔５４が形成されている。対向面５３ａは、２つのイオン放出孔５４の並び方向に沿った長辺を有する矩形形状をなす。
【００３４】
背面側イオン発生部５６は、イオン発生素子５７及びイオン発生素子５７を収容するカバー部５８から構成されている。カバー部５８は、空間Ｋ（流路Ｒ）に面する対向面５８ａを有し、対向面５８ａは対向面５３ａと対向配置される。対向面５８ａには、２つのイオン放出孔５９が形成されている。対向面５８ａは、２つのイオン放出孔５９の並び方向に沿った長辺を有する矩形形状をなす。
【００３５】
イオン発生素子５２は、プラスイオン発生用の放電部５５ｍと、マイナスイオン発生用の放電部５５ｎとを有する（以下、総称して放電部５５という）。放電部５５は、尖鋭状をなす放電電極と、その放電電極を囲繞する対向電極（不図示）とから構成されている。放電部５５は、イオン放出孔５４に隣接して配置されている。放電部５５に高電圧を印加することによって発生したプラスイオンおよびマイナスイオンは、イオン放出孔５４を通って空間Ｋに放出される。
【００３６】
同様に、イオン発生素子５７は、プラスイオン発生用の放電部６０ｍと、マイナスイオン発生用の放電部６０ｎとを有する（以下、総称して放電部６０という）。放電部６０は、上述の放電部５５と同じ構造を有する。放電部６０に高電圧を印加することによって発生したプラスイオンおよびマイナスイオンは、イオン放出孔５９を通って空間Ｋに放出される。
【００３７】
放電部５５ｍ、６０ｍは、プラスイオンＨ +（Ｈ 2Ｏ）ｎ（ｎは０を含む任意の整数)を発生し、放電部５５ｎ、６０ｎは、マイナスイオンＯ２ -（Ｈ 2Ｏ）ｍ（ｍは０を含む任意の整数）を発生し、これらのプラスイオンおよびイオンにより空気中のウイルスを不活性化もしくは死滅させる機能を有する。
【００３８】
本実施の形態では、放電部５５ｍと放電部６０ｎとが、対向面５３ａおよび対向面５８ａに直交する方向において互いに対峙するように配置され、放電部５５ｎと放電部６０ｍとが、対向面５３ａおよび対向面５８ａに直交する方向において互いに対峙するように配置されている。
【００３９】
背面側イオン発生部５６のカバー部５８に、イオン発生ユニット５０をユニット挿入部２９に対して挿脱する際にイオン発生ユニット５０を把持するための把持部６９が形成されている。把持部６９の下部側には、イオン発生ユニット５０をイオン発生機１に装着するための取り付けネジ６９ｂを保持する保持孔６９ａが設けてある。イオン発生ユニット５０をユニット挿入部２９に挿入した後、取り付けネジ６９ｂを保持孔６９ａに通してユニット挿入部２９の雌ねじ部２９ａにネジ止めすることにより、イオン発生ユニット５０がユニット挿入部２９に固定されて装着される。
【００４０】
イオン発生ユニット５０がユニット挿入部２９に挿入され、ケーシング２１に装着された状態で、イオン発生ユニット５０の前面側に設けたコネクタ（不図示）がケーシング２１に設けた本体側接続部（不図示）に接続されることにより、イオン発生機１の本体側とイオン発生ユニット５０とが電気的に接続されるように構成してある。
【００４１】
前面側イオン発生部５１はイオン放出孔５４の並び方向において一方端５１ｐおよび他方端５１ｑを有し、背面側イオン発生部５６はイオン放出孔５９の並び方向において一方端５６ｐおよび他方端５６ｑを有す。前面側イオン発生部５１の一方端５１ｐと、背面側イオン発生部５６の一方端５６ｐとは、流路Ｒ内に位置している。前面側イオン発生部５１の他方端５１ｑと、背面側イオン発生部５６の他方端５６ｑとは、連結用カバー部６１により互いに連結されている。
【００４２】
本発明の実施の形態では、前面側イオン発生部５１と背面側イオン発生部５６とを連結する連結用カバー部６１を設けることによって、イオン発生ユニット５０を着脱可能な交換ユニットとして扱うことができる。
【００４３】
上記のように構成されたイオン発生機１の動作について説明する。シロッコファン３１が中心軸３１ａを中心に回転すると、シロッコファン３１の回転に伴って、室内の空気が空気取込部３６に導入され、スクロール部２２ｃに送出される。スクロール部２２ｃに送られた空気は方向転換しながら徐々に加速し、スクロール部２２ｃから吹き出し口２６に向かう。この際、前面側イオン発生部５１と背面側イオン発生部５６との間の空間Ｋを通過する空気中に、イオン放出孔５４，５９を通じてイオン発生素子５２，５７から放出されたプラスイオンおよびマイナスイオンが吹き出され、イオンが付加される。イオンが付加された空気は、吹き出し口２６を通じて室内に放出される。
【００４４】
イオン発生ユニット５０は使用時間と共にイオンの発生量が減衰するために、一定のレベルよりもイオン発生量が減少する時間を目安として交換することが望まれる。イオン発生ユニット５０を交換するときには、背面側のフィルタ部材２４を外し、ユニット挿入部２９に装着されているイオン発生ユニット５０を取り外すが、この際、イオン発生ユニット５０が挿入されていたユニット挿入部２９が開口部となるため、一般ユーザーが指や異物を入れたりすることが考えられる。また、イオン発生機１の運転停止後も、しばらくはシロッコファン３１が慣性によって回り続けていることも考えられる。さらに、通常はあり得ないが、イオン発生機１が運転中にもかかわらずイオン発生ユニット５０を取り外す場合もあり得る。
【００４５】
そこで、本発明では、イオン発生ユニット５０の取り外し（離脱）に連動する安全装置として、イオン発生ユニット５０が取り外されるとシロッコファン３１の回転を停止させる回転停止機構１０を備えている。回転停止機構１０は、シロッコファン３１の前面側に位置する移動体１１と、移動体１１をシロッコファン３１に向かって前面側から背面側へ付勢するバネ１２とを有する。バネ１２はイオン発生機１の前面側に設けた安全装置カバー１３に支持されている。
【００４６】
移動体１１は、平面視で略コの字状をなし、シロッコファン３１の回転軸３１ａと直交する方向に伸びた基部１１ａと、基部１１ａの両端部から背面側に伸びる２つのアーム１１ｂ，１１ｃとを有している。一方のアーム１１ｂの先端部に、シロッコファン３１と接触可能なローラ１４がピン１４２によって支持枝１４１に回転自在に取り付けられている。アーム１１ｂの先端部に制動部材１４０が貼付されている。ローラ１４はゴム製で表面に多数のリブを形成し、制動部材１４０もまたゴム製で表面に多数のリブを有する。ローラ１４と制動部材１４０のリブが互いに接触してローラ１４の回転を抑制している。バネ１２は基部１１ａに当接して背面側へ押し付けている。
【００４７】
以上の構成により、ローラ１４がバネ１２によって付勢されてシロッコファン３１に接触する際にシロッコファン３１に無理な力を掛けずにシロッコファン３１の回転を停止するように構成されている。尚、ローラ１４は前面側からシロッコファン３１に接触するように配置されているが、接触する部分はどこでもよく、極力軽い力で抑制ができるように外周部に近いファンブレード３２の前面側部分で接触するのが好ましい。また、接触する方向も背面側からでもよい。
【００４８】
他方のアーム１１ｃはユニット挿入部２９の下方に位置し、先端部がイオン発生ユニット５０の装着時に取り付けネジ６９ｂに当接する位置まで伸びている。イオン発生ユニット５０をユニット挿入部２９に挿入して、取り付けネジ６９ｂを雌ねじ部２９ａにネジ込むと、取り付けネジ６９ｂの先端部がアーム１１ｃを前面側に押圧し、シロッコファン３１に接触していたローラ１４がバネ１２の付勢力に抗してシロッコファン３１から離間する。これにより、通常のイオン発生機１の運転時には、イオン発生ユニット５０が装着されているため、移動体１１はイオン発生ユニット５０の装着によってイオン発生機１の前面側に移動させられ、ローラ１４がシロッコファン３１から離間し、シロッコファン３１の回転を妨げない状態になる。
【００４９】
（実施の形態２）
図１０は本発明の実施の形態２に係る電気機器の断面図、図１１は図１０に示す電気機器の構成要素を示す平面図及び側面図、図１２は図１０に示す電気機器の他の構成要素を示す平面図及び側面図、図１３は図１０に示す電気機器の動作を示す断面図である。
【００５０】
本実施形態２に係る電気機器は送風装置７０である。送風装置７０は、本体ケーシング７１の下部にモータ７２が内蔵され、図示しない電源に接続されて回転駆動されるように構成されている。モータ７２は周囲を壁部７５によって囲われている。本体ケーシング７１は円筒状をなし、上端に雌ネジ状の勘合部７１ａが形成されている。
【００５１】
本体ケーシング７１の上部側に、複数のプロペラ７４ａを有するプロペラファン７４が回転軸を上下方向にして配置されている。プロペラファン７４の中心部に、下方から突出するモータ７２の回転軸７２ａが嵌め込まれて固定されている。壁部７５の天壁７５ａとプロペラファン７４との間には仕切り板７６が配置され、仕切り板７６は下部を天壁７５ａに支持されたバネ７７によって上方へ付勢されている。仕切り板７６の上面にはプロペラファン７４に対して軸方向に突出して接触し、プロペラファン７４の回転を阻止するための突起７６ａが形成されている。
【００５２】
本体ケーシング７１の上部開口を塞ぐようにファンガード７３が脱着自在に設けてある。ファンガード７３は内周に雄ネジを形成したリング部７３ａとリング部７３ａに支持されたドーム状のネット７３ｂとから成っている。リング部７３ａが勘合部７１ａにネジ止めされ、ファンガード７３が本体ケーシング７１に装着される。ファンガード７３が装着されている状態では、仕切り板７６の外周部はファンガード７３の下端に当接し、仕切り板７６が下方に押圧されているため、突起７６ａはプロペラ７４ａと接触していない。
【００５３】
本体ケーシング７１の内部にはモータ７２の周囲の壁部７５と本体ケーシング７１の内周部との間に通風路７８が形成されている。また、仕切り板７６には、モータ７２の回転軸７２ａを通す丸孔７６ｃと周方向に沿った円弧状の２つの開口７６ｂとが形成されている。プロペラファン７４を回転することによって、本体ケーシング７１の下部から吸入された空気が通風路７８を経由し、仕切り板７６の丸孔７６ｃ及び開口７６ｂを通過してファンガード７３のネット７３ｂから外部に送出される。
【００５４】
このような構成において、プロペラファン７４の点検及び清掃等のためにファンガード７３を本体ケーシング７１から取り外すと、ファンガード７３によって下方に押し下げられていた仕切り板７６がバネ７７によって押し上げられ、突起７６ａがプロペラファン７４の隣り合うプロペラ７４ａの間に突出してプロペラ７４ａに接触する状態になるので、プロペラファン７４が誤って回転しようとする場合に突起７６ａがプロペラ７４ａに当接して回転を妨げることができる。以上の構成により、ファンガード７３の取り外し（離脱）に連動してプロペラファン７４の回転を停止させる回転停止機構８０が構成される。
【００５５】
今回開示された実施の形態はすべての点で例示であって制限的なものではない。本願発明の範囲は上記した説明ではなくて特許請求の範囲によって示され、特許請求の範囲と均等の範囲内でのすべての変更が含まれることが意図される。
【産業上の利用可能性】
【００５６】
本発明は、主に、イオン発生機や除湿機、加湿器、エアコンディショナ、空気清浄機など、回転部を備えた送風装置を有する電気機器に適用される。
【符号の説明】
【００５７】
１            イオン発生機（電気機器）
１０          回転停止機構
１２          バネ（付勢部）
１４          ローラ（回転阻止体）
２９          ユニット挿入部（装着部）
３１          シロッコファン（送風ファン）
３２          ファンブレード（羽根、回転部）
５０          イオン発生ユニット（イオン発生装置、構成要素）
６９ｂ        取り付けネジ（押圧部）
７０          送風装置（電気機器）
７３          ファンガード（蓋、構成要素）
７３ａ        リング部（押圧部）
７４          プロペラファン（送風ファン）
７４ａ        プロペラ（羽根、回転部）
７６ａ        突起（回転阻止体）
７７          バネ（付勢部）
８０          回転停止機構
Ｋ            空間
【図１】
2012235805.tif 000003
【図２】
2012235805.tif 000004
【図３】
2012235805.tif 000005
【図４】
2012235805.tif 000006
【図５】
2012235805.tif 000007
【図６】
2012235805.tif 000008
【図７】
2012235805.tif 000009
【図８】
2012235805.tif 000010
【図９】
2012235805.tif 000011
【図１０】
2012235805.tif 000012
【図１１】
2012235805.tif 000013
【図１２】
2012235805.tif 000014
【図１３】
2012235805.tif 000015